(57)【要約】【課題】両面を読み取る場合に固定の読み取り部側でのシェーディング補正に関して、白色基準部材の設置困難な問題を解消しつつ、正確なシェーディング補正をする。【解決手段】密着型読み取り部により原稿を読み取る画像読み取り装置であって、前記密着型読み取り部の内部に、エレクトロルミネッセンス光源により構成されて面発光体を発光させることにより基準濃度として構成された濃度基準部材を有する、ことを特徴とする。さらに、このエレクトロルミネッセンス光源の光量を調整する光量調整部を備え、基準濃度の調整が可能である。【選択図】図１
2009171455.tif 000002
【特許請求の範囲】
【請求項１】
密着型読み取り部により原稿を読み取る画像読み取り装置であって、
前記密着型読み取り部の内部に、基準濃度として構成された濃度基準部材を有する、
ことを特徴とする画像読み取り装置。
【請求項２】
密着型読み取り部により原稿を読み取る画像読み取り装置であって、
前記密着型読み取り部の内部に、面発光体を発光させることにより基準濃度として構成された濃度基準部材を有する、
ことを特徴とする画像読み取り装置。
【請求項３】
前記濃度基準部材は、エレクトロルミネッセンス光源により構成されて面発光を行う、
ことを特徴とする請求項１または請求項２に記載の画像読み取り装置。
【請求項４】
前記エレクトロルミネッセンス光源の光量を調整する光量調整部を備え、
基準濃度の調整が可能に構成されている、
ことを特徴とする請求項３記載の画像読み取り装置。
【請求項５】
前記光量調整部は、該密着型読み取り部における前記濃度基準部材の読み取り結果が所定の値になるように前記エレクトロルミネッセンス光源の光量を調整する、
ことを特徴とする請求項４記載の画像読み取り装置。
【請求項６】
読み取り位置周辺に透明な窓部を備えており読み取り時に原稿と接する透明窓部と、
前記透明窓部の長手方向と垂直な方向に該透明窓部を移動させる移動部と、
を備え、
前記濃度基準部材は、該透明窓部の内側であって、基準濃度を読み取る際には、前記移動部によって、読み取りを行う光路中に配置される、
ことを特徴とする請求項１乃至請求項５のいずれか一項に記載の画像読み取り装置。
【請求項７】
原稿の読み取り領域の長手方向と垂直な方向に前記濃度基準部材を移動させる移動部を備え、
前記濃度基準部材は、基準濃度を読み取る際には、前記移動部によって、読み取りを行う光路中に配置される、
ことを特徴とする請求項１乃至請求項５のいずれか一項に記載の画像読み取り装置。
【請求項８】
前記濃度基準部材はシェーディング補正のための白色基準部材として用いられる、
ことを特徴とする請求項１乃至請求項７のいずれか一項に記載の画像読み取り装置。
【発明の詳細な説明】
【技術分野】
【０００１】
本発明は、原稿を搬送しつつ両面の画像を読み取って画像データを生成する機能を有する画像読み取り装置に関し、特に、シェーディング補正に配慮された画像読み取り装置に関する。
【背景技術】
【０００２】
原稿の両面読み取りが可能な画像読み取り装置が従来から広く使用されている。
ところで、画像読み取りにおいては、原稿を照明する光源や読み取り光学系による画像データへの影響を補正するため、また、基準の白レベルや濃度レベルの決定のため、白色基準部材や濃度基準部材の読み取り結果を用いたシェーディング補正が一般的に行われている。
【０００３】
すなわち、白色基準部材や濃度基準部材を読み取って得られた白レベルや濃度レベルを参照して、読み取り信号のレベルや、光学系の周辺光量の低下をシェーディング補正回路が補正するようにしている。
【０００４】
ところで、小型の画像読み取り装置、あるいは、両面画像読み取り装置の一方の面の読み取りにおいて、コンタクトイメージセンサ（ＣＩＳ）などの固定された密着型読み取り部が使用されることが多い。
【０００５】
この、密着型読み取り部の読み取り開口部は固定であるために、白色基準部材を設けることが困難になることが多い。
実際には、このような密着型の読み取り部では、読み取りセンサの対向位置（読み取り位置）のガイド板やガイドローラを白色基準部材と兼用することで対処している画像読み取り装置が多い。
【０００６】
このような密着型の読み取り部では、原稿の通過に伴って、白色基準部材にゴミが付着したり、傷が発生することが知られている。たとえば、原稿に付着して乾燥しきっていない描画材、修正液、消しゴムのカスといったゴミが白色基準部材に付着してしまうことがある。また、修正液の盛り上がり等の原稿の凸部によって、白色基準部材に傷が発生することがある。このような問題を解消するため、以下の特許文献１が提案されている。
【０００７】
また、第一読み取り部と第二読み取り部とを備えた両面の画像読み取り装置では、第一／第二読み取り部の構成が異なっている。たとえば、第一読み取り部ではミラーで折り返す形の光路を有しており光路長が長いのに対し、第二読み取り部では密着型であるため光路長が極めて短くなっている。また、光路長の違いに伴って光学系の構成も全く異なっている。このため、同一の白色基準部材を用いたとしても、白レベル補正に差が生じてしまい、同じ原稿の画像であったとしても、読み取りの濃度や階調が異なった状態の読み取り画像データが生成されてしまうことになる。このような問題を解消するため、以下の特許文献２が提案されている。
【特許文献１】特開２００５−３３４６６号公報（請求項１、図１）
【特許文献２】特開２００４−１９３８９９号公報（請求項１、図１）
【発明の開示】
【発明が解決しようとする課題】
【０００８】
以上の特許文献１では、中央に空間を有する原稿押さえ部材を白色基準部材の前面に配置することで、白色基準部材にゴミが付着したり傷が付くことを防止している。そして、白色基準部材を読み取る際には、バネなどで付勢して、原稿読み取り面と同じ面に白色基準部材が来るようにして焦点を合わせるようにしている。
【０００９】
しかし、中央に空間を有する白色基準部材は極めて薄いものであり、白色基準部材にゴミや傷の付着が絶対に発生しないとは言い切れないものであった。
一方、以上の特許文献２では、プラテンガラス下の本体側読み取り部と、ＡＤＦ内蔵の読み取り部とで、それぞれ光路長が等しくなるようにして、同じ白色基準部材を使用した場合に、白色基準部材を等しい条件で読み取れるように工夫している。しかし、この場合、等しい光路長を有するように、両方の読み取り部に縮小光学系を備える必要がある。この場合、両方の読み取り部を縮小光学系を備えるように構成したとしても、全く同一の光学系ではないため、光路長を揃えただけでは、白色基準部材の読み取りについて、同じ条件とすることができない問題がある。このような違いが生じた場合に、特許文献２ではそれ以上の対処をすることはできない問題があった。さらに、この特許文献２の提案では、本体側に縮小光学系を備えた読み取り部、ＡＤＦ内に小型の密着型の読み取り部を設けることはできないという問題がある。
【００１０】
本発明は、以上のような課題を解決するためになされたものであって、原稿を搬送しつつ画像を読み取って画像データを生成する場合に固定の読み取り部でのシェーディング補正に関して、密着型の読み取り部を用いた場合の白色基準部材のゴミ付着や傷発生といった問題を解消しつつ、正確なシェーディング補正をすることが可能な画像読み取り装置を提供することを目的とする。
【課題を解決するための手段】
【００１１】
以上の課題を解決する本発明は、以下に記載するようなものである。
（１）請求項１記載の発明は、密着型読み取り部により原稿を読み取る画像読み取り装置であって、前記密着型読み取り部の内部に、基準濃度として構成された濃度基準部材を有する、ことを特徴とする画像読み取り装置である。
【００１２】
（２）請求項２記載の発明は、密着型読み取り部により原稿を読み取る画像読み取り装置であって、前記密着型読み取り部の内部に、面発光体を発光させることにより基準濃度として構成された濃度基準部材を有する、ことを特徴とする画像読み取り装置である。
【００１３】
（３）請求項３記載の発明は、前記濃度基準部材は、エレクトロルミネッセンス光源により構成されて面発光を行う、ことを特徴とする請求項１または請求項２に記載の画像読み取り装置である。
【００１４】
（４）請求項４記載の発明は、前記エレクトロルミネッセンス光源の光量を調整する光量調整部を備え、基準濃度の調整が可能に構成されている、ことを特徴とする請求項３記載の画像読み取り装置である。
【００１５】
（５）請求項５記載の発明は、前記光量調整部は、該密着型読み取り部における前記濃度基準部材の読み取り結果が所定の値になるように前記エレクトロルミネッセンス光源の光量を調整する、ことを特徴とする請求項４記載の画像読み取り装置である。
【００１６】
（６）請求項６記載の発明は、読み取り位置周辺に透明な窓部を備えており読み取り時に原稿と接する透明窓部と、前記透明窓部の長手方向と垂直な方向に該透明窓部を移動させる移動部と、を備え、前記濃度基準部材は、該透明窓部の内側であって、基準濃度を読み取る際には、前記移動部によって、読み取りを行う光路中に配置される、ことを特徴とする請求項１乃至請求項５のいずれか一項に記載の画像読み取り装置である。
【００１７】
（７）請求項７記載の発明は、原稿の読み取り領域の長手方向と垂直な方向に前記濃度基準部材を移動させる移動部を備え、前記濃度基準部材は、基準濃度を読み取る際には、前記移動部によって、読み取りを行う光路中に配置される、ことを特徴とする請求項１乃至請求項５のいずれか一項に記載の画像読み取り装置である。
【００１８】
（８）請求項８記載の発明は、前記濃度基準部材はシェーディング補正のための白色基準部材として用いられる、ことを特徴とする請求項１乃至請求項７のいずれか一項に記載の画像読み取り装置である。
【発明の効果】
【００１９】
本発明によると以下のような効果が得られる。
（１）請求項１記載の発明では、密着型読み取り部の内部に、基準濃度として構成された濃度基準部材を有するため、原稿が読み取られる位置から離れた位置に濃度基準部材が存在することになり、ゴミや傷が濃度基準部材に付着することがなくなる。
【００２０】
（２）請求項２記載の発明では、密着型読み取り部の内部に、基準濃度として構成された濃度基準部材を有するため、原稿が読み取られる位置から離れた位置に濃度基準部材が存在することになり、ゴミや傷が濃度基準部材に付着することがなくなる。また、面発光させることにより、密着型読み取り部の内部であっても、所望の基準濃度を実現することが可能になる。
【００２１】
（３）請求項３記載の発明では、密着型読み取り部の内部に、基準濃度として構成された濃度基準部材を有するため、原稿が読み取られる位置から離れた位置に濃度基準部材が存在することになり、ゴミや傷が濃度基準部材に付着することがなくなる。また、エレクトロルミネッセンス光源を面発光させることにより、密着型読み取り部の内部であっても、所望の基準濃度を実現することが可能になる。
【００２２】
（４）請求項４記載の発明では、密着型読み取り部の内部に、基準濃度として構成された濃度基準部材を有するため、原稿が読み取られる位置から離れた位置に濃度基準部材が存在することになり、ゴミや傷が濃度基準部材に付着することがなくなる。また、エレクトロルミネッセンス光源を面発光させる際に、光量調整部による調整を行うことにより、密着型読み取り部の内部であっても、所望の基準濃度を実現することが可能になる。
【００２３】
（５）請求項５記載の発明では、密着型読み取り部の内部に、基準濃度として構成された濃度基準部材を有するため、原稿が読み取られる位置から離れた位置に濃度基準部材が存在することになり、ゴミや傷が濃度基準部材に付着することがなくなる。また、エレクトロルミネッセンス光源を面発光させる際に、読み取り結果が所定の値になるように光量調整部による調整を行うことにより、密着型読み取り部の内部であっても、所望の基準濃度を実現することが可能になる。
【００２４】
（６）請求項６記載の発明では、読み取り位置周辺に透明な窓部を備えており読み取り時に原稿と接する透明窓部を、該透明窓部の長手方向と垂直な方向に該透明窓部を移動させるようにしておき、さらに、濃度基準部材を該透明窓部の内側に配置しておき、濃度基準部材を読み取る際には、移動部によって濃度基準部材が読み取りを行う光路中に配置されるため、通常の原稿読み取りに影響を与えることなく、濃度基準部材についても正確に読み取ることが可能になる。これにより、密着型読み取り部の内部であっても、所望の基準濃度を実現することが可能になる。
【００２５】
（７）請求項７記載の発明では、原稿の読み取り領域の長手方向と垂直な方向に濃度基準部材を移動させる移動部を備えておき、濃度基準部材を読み取る際には、移動部によって濃度基準部材が読み取りを行う光路中に配置されるため、通常の原稿読み取りに影響を与えることなく、濃度基準部材についても正確に読み取ることが可能になる。これにより、密着型読み取り部の内部であっても、所望の基準濃度を実現することが可能になる。
【００２６】
（８）請求項８記載の発明では、上記（１）〜（７）のような濃度基準部材がシェーディング補正のための白色基準部材として用いられるため、密着型の読み取り部を用いた場合の白色基準部材の問題（ゴミ付着、傷発生）を解消しつつ、正確なシェーディング補正をすることが可能になる。
【発明を実施するための最良の形態】
【００２７】
以下、図面を参照して本発明を実施するための最良の形態（以下、実施形態）を詳細に説明する。なお、原稿読み取り部（スキャナ）により原稿の内容を画像情報として読み取って画像データを生成して出力する画像読み取り装置であっても、また、原稿読み取り部（スキャナ）により複写対象物（原稿）の内容を画像情報として読み取って複写する機能を備えた画像形成装置（複写装置）であっても、さらに、原稿読み取り部（スキャナ）により送信対象物（原稿）の内容を画像情報として読み取って通信回線を介して送信する機能を備えた画像送信装置（ファクシミリ装置）であっても、本発明の実施形態を適用することが可能である。
【００２８】
なお、この実施形態では、原稿を搬送しつつ、一度に両面の画像を読み取って両面の画像データを生成する機能を有する画像読み取り装置、すなわち、主走査方向に複数画素の固体撮像素子などの読み取り素子を有しており、原稿を読み取り素子に対して副走査方向に移動させることで、主走査方向および副走査方向の二次元の読み取り（シートスルー型の読み取り）を原稿両面に対して実行する機能を有する画像読み取り装置または画像形成装置を対象としている。
【００２９】
〈画像読み取り装置の機械的構成〉
まず、図３を参照して本実施形態の画像読み取り装置の機械的構成を説明する。なお、ここでは、原稿を搬送しつつ原稿両面の画像を読み取り、両面のそれぞれの画像データを生成する機能を有する画像読み取り装置を本実施形態の具体例として用いる。
【００３０】
ここで、自動原稿給送部（ＡＤＦ）１０の原稿載置部１１に載置された原稿ｄは、送り出しローラ１２ａにより送り出され、分離ローラ１２ｂにより１枚に分離され搬送される。そして、原稿ｄはレジストローラ１２ｃにより、姿勢制御及びタイミング制御されて更に搬送される。原稿ｄは更に、プラテンローラ１３を周回して搬送され、搬送ローラ１４，１６，１５を経て排紙皿１９に排紙される。なお、搬送ローラ１４及び１５は、第二読み取り部２０Ｂの読み取り位置の前後に設けられており、搬送ローラ１６が第二読み取り部２０Ｂの読み取り位置に設けられている。
【００３１】
ここで、画像読み取り部２０は、搬送される原稿の第一面を読み取るために可動な読み取り開口部を有する第一読み取り部としての第一読み取り部２０Ａと、搬送される原稿の第二面を読み取る固定で密着型の第二読み取り部としての第二読み取り部２０Ｂとで構成されている。
【００３２】
なお、第一読み取り部２０Ａと第二読み取り部２０Ｂとは、同一時期に搬送される原稿の第一面と第二面とをそれぞれ読み取るものであり、いずれが上流側に配置されていてもよい。よって、図３とは逆に、第二読み取り部２０Ｂが上流側に配置されていても問題はない。
【００３３】
ここで、第一読み取り部２０Ａでは、光源２３により原稿ｄの原稿面が照射され、その反射光がミラー２４ａ，２４ｂ，２４ｃを介して結像光学系２５を介して光電変換手段であるＣＣＤ（読み取り素子）２６の受光面に像を結ぶ。すなわち、ここで、光源２３、ミラー２４ａ，２４ｂ，２４ｃ、結像光学系２５及びＣＣＤ２６を有する光学系、並びに、図示されていない光学系駆動手段とで、第一読み取り部２０Ａを構成している。ここで、光源２３は、主走査方向に長手方向を有する棒状のキセノンランプなどで構成された光源である。
【００３４】
この図３において、原稿ｄがプラテンガラス２１上に読み取り面を下に向けた状態に載置された場合には、光学系がプラテンガラス２１に沿って走査しつつ、原稿の片面の画像の読み取りを行う。なお、第一読み取り部２０Ａでは、可動な読み取り開口部を構成する可動の走査ユニットＵ１、Ｕ２を有する。
【００３５】
そして、原稿ｄがＡＤＦ１０により自動給紙されてプラテンローラ１３の周囲を回る場合には、第２プラテンガラス２２下に光源２３とミラー２４ａとが移動した状態で、原稿第一面の読み取りが行われる。そして、読み取られた原稿ｄの画像データは、ＣＣＤ２６から図示されない画像処理部に送られる。なお、この状態では、第一読み取り部２０Ａでは、可動な読み取り開口部を構成する可動の走査ユニットはＵ１’、Ｕ２’として示す位置に留まる。
【００３６】
また、第二読み取り部２０Ｂは、線状光源２０１とＣＣＤ等からなるラインセンサ２０２で構成されたＣＩＳ（コンタクト・イメージ・センサ）による原稿に密着して画像を読み取る密着型の第二読み取り部であり、搬送される原稿の第二面を読み取る固定の第二読み取り部である。
【００３７】
そして、原稿ｄがＡＤＦ１０により自動給紙されてプラテンローラ１３の周囲を回る場合には、これと並行して、第二読み取り部２０Ｂにより原稿ｄの第二面の読み取りが行われる。そして、読み取られた原稿ｄの画像データは、第二読み取り部２０Ｂから図示されない画像処理部に送られる。
【００３８】
このようにして、第一面と第二面との画像が並行して読み取られた原稿ｄは、排紙皿１９に積載されていく。
また、一様な白色濃度を有するユポ紙などで構成された第一の濃度基準部材としての第一白色基準部材２７が、プラテンガラス２１近傍に設けられている。そして、原稿の読み取りに先立って、この第一白色基準部材２７下に光源２３とミラー２４ａとが移動した状態で読み取って得た画像データから、第一読み取り部２０Ａでの主走査方向の光量の違い（光量分布）を表す光量分布データが採取され、この光量分布を補正するための第一シェーディング補正データが生成される。
【００３９】
そして、第二読み取り部２０Ｂにおいては、後述するように、原稿の読み取りに先立って、第二白色基準部材２９としてのＥＬ光源１７を読み取って得た画像データから、第二読み取り部２０Ｂでの主走査方向の光量の違い（光量分布）を表す光量分布データが採取され、この光量分布を補正するための第二シェーディング補正データが生成される。
【００４０】
ここで、図１を参照して、第二読み取り部２０Ｂの構成について説明する。
この第二読み取り部２０Ｂは、読み取り位置周辺に透明な窓部を備えており読み取り時に原稿と接する透明窓部としてのコンタクトガラス２１２を備えている。なお、第二読み取り部２０Ｂは、筐体としてのフレーム２１１とコンタクトガラス２１２とで、イメージセンサ２０２が密閉された状態に構成されている。
【００４１】
そして、このような密閉型の構成において、その内部に、光源２０１、第二の濃度基準部材としての第二白色基準部材２９（ＥＬ光源１７）、光学系２０３、イメージセンサ２０２を備えて構成されている。
【００４２】
この構成において、図１の紙面垂直方向を長手方向としてイメージセンサ２０２が配置されており、これに合わせて光源２０１や第二白色基準部材２９やコンタクトガラス２１２やその他の各部も構成されている。なお、この長手方向を主走査方向と呼ぶことにする。
【００４３】
ここで、コンタクトガラス２１２は、主走査方向と垂直な方向、すなわち原稿搬送方向あるいはその逆方向、図１において紙面左右方向に移動可能に構成されている。
そして、通常の原稿読み取り時には、コンタクトガラス２１２はバネ２１３により付勢されて原稿搬送方向に移動しており、図１（ａ）のように、コンタクトガラス２１２の内面に取り付けられた光源２０１から照射された光が原稿で反射されて、コンタクトガラス２１２の内面に配置された光源２０１と第二白色基準部材２９との間を通過し、光学系２０３を経由してイメージセンサ２０２に結像する。
【００４４】
一方、シェーディング補正時などにおいては、図１（ｂ）のように、原稿搬送時と反対方向に回転する搬送ローラ１６によってコンタクトガラス２１２は原稿搬送方向とは反対方向に移動しており、コンタクトガラス２１２の内面に配置された第二白色基準部材２９から発せられる光が、光学系２０３を経由してイメージセンサ２０２に結像する。
【００４５】
なお、ここでは、バネ２１３と搬送ローラ１６とによってコンタクトガラス２１２が所定の位置に移動させられており、第二白色基準部材２９を所定の位置に移動させる移動手段を構成している。ここで、バネ２１３と搬送ローラ１６を使用する代わりに、バネ２１３の位置にアクチュエータを設けたり、あるいは、コンタクトガラス２１２を介さずに第二白色基準部材２９を直接移動させる移動手段を用いてもよい。
【００４６】
なお、本願明細書において、第二白色基準部材２９は、発光状態にされたＥＬ光源１７を意味するものとする。この場合、第二白色基準部材２９としては、ＥＬ光源以外にも面発光を行える発光体を用いることが可能である。また、ＥＬ光源１７を用いる場合には、有機ＥＬ発光体であるか、無機ＥＬ発光体であるかは問わないものとする。
【００４７】
この場合に、第二読み取り部２０Ｂは、密着型読み取り部であり、その内部に基準濃度として構成された濃度基準部材２９を有するため、原稿が読み取られる位置から離れた位置に濃度基準部材が存在することになり、ゴミや傷が濃度基準部材に付着することがなくなる。また、第二白色基準部材２９としてＥＬ光源１７を面発光させることにより、密着型読み取り部の内部であっても、所望の基準濃度を実現することが可能になる。また、後述するように、発光量を調整することで、所望の濃度を実現することができる。
【００４８】
〈画像読み取り装置の電気的構成〉
図２は本発明の第１の実施形態の画像読み取り装置内の詳細構成を示すブロック図である。なお、この図２では、本実施形態の動作説明に必要な部分の周囲を中心に記載してあり、その他の画像読み取り装置として既知の部分については省略してある。
【００４９】
画像読み取り装置１００は、原稿を搬送しつつ、一度に両面の画像を読み取って両面の画像データを生成する機能を有する画像読み取り装置、すなわち、第一読み取り部２０Ａと第二読み取り部２０Ｂとを有し、シートスルー型の読み取りを原稿両面に対して実行する機能を有する画像読み取り装置である。
【００５０】
また、この画像読み取り装置１００は、第一白色基準部材・第二白色基準部材を読み取って得た画像データに含まれる主走査方向の光量の違いを示す光量分布データを採取して、該光量分布データに基づいて光量分布を均一にするためのシェーディング補正データを両面分算出し、該シェーディング補正データに基づいて原稿の両面の画像データにシェーディング補正を実行する機能を有する。
【００５１】
この画像読み取り装置１００において、１０１はＣＰＵなどで構成されており、各部を制御する制御手段としての制御部である。
そして、この制御部１０１は、第二白色基準部材２９を読み取った際の出力値が予め定められた所定の値に一致するように、エレクトロルミネッセンス光源の光量を調整する機能を有する。
【００５２】
また、この制御部１０１は、第一白色基準部材２７を読み取った際の出力値と、第二白色基準部材２９を読み取った際の出力値とが一致するように、エレクトロルミネッセンス光源の光量を調整する機能を有する。
【００５３】
１１１は第一読み取り部２０Ａの電気的構成部分であり、第一読み取り部２０Ａの撮像素子や駆動回路などが該当する。
１１２は第二読み取り部２０Ｂの電気的構成部分であり、第二読み取り部２０Ｂの光源２０１や撮像素子２０２や駆動回路などが該当する。
【００５４】
１２１は第一読み取り部１１１の読み取りアナログ信号をディジタルデータに変換するＡ−Ｄ変換部である。
１２２は第二読み取り部１１２の読み取りアナログ信号をディジタルデータに変換するＡ−Ｄ変換部である。
【００５５】
１３１は第一読み取り部１１１で読み取られてＡ−Ｄ変換部１２１で生成された第一画像データに各種画像処理を施す際の第一画像処理部である。
１３２は第二読み取り部１１２で読み取られてＡ−Ｄ変換部１２２で生成された第二画像データに各種画像処理を施す際の第二画像処理部である。
【００５６】
１４１は第一読み取り部１１１での読み取り特性に応じてシェーディング補正を行うための第一シェーディング補正データが格納される第一データメモリである。
１４２は第一読み取り部１１２での読み取り特性に応じてシェーディング補正を行うための第二シェーディング補正データが格納される第一データメモリである。
【００５７】
１５１は第一シェーディング補正データによって第一画像データにシェーディング補正を施す第一シェーディング補正部である。
１５２は第一シェーディング補正データによって第二画像データにシェーディング補正を施す第二シェーディング補正部である。
【００５８】
１６０は各種画像処理とシェーディング補正とが施された画像データが格納される画像メモリであり、図示されない通信手段としてのインタフェースなどを介して、制御部１０１の制御に基づいて画像データが外部機器に対して出力される。
【００５９】
１７０は操作部であり、電源オン・オフ、読み取り開始、読み取り時の各種設定の入力などがなされ、入力されたキーに応じたキーデータが制御部１０１に送出される。
１８０は画像読み取り装置の表示部であり、制御部１０１の制御に基づいて、各種状態あるいは各種メッセージを文字や数値コードや絵文字などによって表示する。あるいは、この表示部１８０は、必要に応じて、音声や光の点滅によって表示や報知する。
【００６０】
なお、この実施形態において、「第一シェーディング補正データ」は、第一読み取り部２０Ａによる第一白色基準部材２７の読み取りデータから生成される。
また、この実施形態において、「第二シェーディング補正データ」は、第二読み取り部２０Ｂによる第二白色基準部材２９の読み取りデータから生成される。
【００６１】
１９１はＥＬ光源であり、図１におけるＥＬ光源１７であり、発光時には第二白色基準部材２９を構成している。１９２はＥＬ駆動部であり、制御部１０１の制御に基づいて、第二読み取り部２０Ｂ（１１２）が第二白色基準部材２９を読み取る際にＥＬ光源１９１を所定の光量あるいは輝度で発光させる。
【００６２】
１９４は読み取り部の読み取りの方向（主走査方向）と直交する副走査方向にコンタクトガラス２１２（ＥＬ光源１９１が配置されたコンタクトガラス２１２）もしくはＥＬ光源１９１を移動させる移動主部である。この移動部１９４は、図１の場合には搬送ローラ１６とバネ２１３であるが、専用のアクチュエータを用いてもよい。
【００６３】
〈第一の実施形態の動作状態〉
以下、第一の実施形態の画像読み取り装置の動作について、図４のフローチャートを参照して、詳細な動作説明を行う。なお、図４は本実施形態の特徴部分の動作を示したフローチャートであり、画像読み取り装置として一般的で既知の動作については省略してある。
【００６４】
まず、工場出荷時あるいはサービスマンによる調整時において、所定のキー入力が操作部１７０になされると、あるいは、外部のコンピュータ（図示せず）からの指示が与えられると、制御部１０１は、画像読み取り装置１００を「第二白色基準部材発光駆動設定処理モード」として動作させる（図４のスタート）。
【００６５】
ここで、制御部１０１は、基準原稿をセットするようにとのメッセージを表示部１８０に表示する（図４中のステップＳ４０１）。ここで、基準原稿とは、原稿の両面が同じ濃度（白色度）等の特性を有する原稿である。基準原稿がセットされ、読み取りの指示が操作部１７０あるいは外部コンピュータから与えられると、制御部１０１は第一読み取り部１１１と第二読み取り部１１２とに基準原稿の読み取りを実行させる（図４中のステップＳ４０１）。
【００６６】
この際、コンタクトガラス２１２はバネ２１３により付勢されて原稿搬送方向に移動しており、図１（ａ）のように、コンタクトガラス２１２の内面に取り付けられた光源２０１から照射された光が原稿で反射されて、コンタクトガラス２１２の内面に配置された光源２０１と第二白色基準部材２９との間を通過し、光学系２０３を経由してイメージセンサ２０２に結像する。
【００６７】
この基準原稿の読み取りにより、第一読み取り部１１１、Ａ-Ｄ変換部１２１、第一画像処理部１３１から第一画像データが得られ、第二読み取り部１１２、Ａ-Ｄ変換部１２２、第二画像処理部１３２から第二画像データが得られる。そして、この第一画像データと第二画像データの信号値のピーク部分、あるいは、第一画像データと第二画像データの中央付近の信号値が等しくなるように、制御部１０１は第一読み取り部１１１と第二読み取り部１１２との利得調整を実行する（図４中のステップＳ４０２）。
【００６８】
この場合、第一読み取り部１１１、第二読み取り部１１２内部のアンプの利得、あるいは、信号経路のいずれかに配置されたアンプ（図示せず）の利得を、上述した信号値が等しくなるように制御部１０１が調整する。
【００６９】
この後、制御部１０１は、移動部１９４としての搬送ローラ１６をコンタクトガラス２１２に接触させる（押し当てる）と共に、原稿搬送時とは逆方向に所定量だけ回転させる。これにより、コンタクトガラス２１２が図１（ｂ）のようになり、ＥＬ光源１７が、光学系２０３を経由してイメージセンサ２０２に結像する光路上に位置する。
【００７０】
この状態で、制御部１０１はＥＬ駆動部１９２を介してＥＬ光源１７を点灯させ（図４中のステップＳ４０３）、ＥＬ光源１７を第二白色基準部材２９として動作させる。
この結果、図１（ｂ）のように、原稿搬送時と反対方向に回転する搬送ローラ１６によってコンタクトガラス２１２は原稿搬送方向とは反対方向に移動しており、コンタクトガラス２１２の内面に配置された第二白色基準部材２９から発せられる光が、光学系２０３を経由してイメージセンサ２０２に結像する。
【００７１】
また、制御部１０１は、第一読み取り部１１１に第一白色基準部材２７の読み取りを実行させる（図４中のステップＳ４０４）。そして、制御部１０１は、第二読み取り部１１２に第二白色基準部材２９（発光状態のＥＬ光源１７）の読み取りを実行させる（図４中のステップＳ４０５）。
【００７２】
この状態で、制御部１０１は、第一読み取り部１１１による第一白色基準部材２７の読み取り結果のピーク値あるいは中央部分の値と、第二読み取り部１１２による第二白色基準部材２９の読み取り結果のピーク値あるいは中央部分の値とが等しいかを判断し（図４中のステップＳ４０６）、値が等しくなるまでＥＬ駆動部１９２からのＥＬ光源１７への駆動電圧を調整する（図４中のステップＳ４０７）。
【００７３】
第一読み取り部１１１による第一白色基準部材２７の読み取り結果のピーク値あるいは中央部分の値と、第二読み取り部１１２による第二白色基準部材２９の読み取り結果のピーク値あるいは中央部分の値とが等しくなれば（図４中のステップＳ４０６でＹＥＳ）、制御部１０１は、ＥＬ駆動部１９２からのＥＬ光源１７への駆動電圧を記憶し（図４中のステップＳ４０８）、「第二白色基準部材発光駆動設定処理モード」を終了させる。
【００７４】
そして、これ以後は、制御部１０１はこの記憶値によりＥＬ光源１７を発光駆動し、既知のシェーディング補正を実行する。
また、制御部１０１の指示によって搬送ローラ１６のコンタクトガラス２１２への接触を解除することで、コンタクトガラス２１２はバネ２１３によって付勢され、通常の読み取り位置に戻る。
【００７５】
以上のような「第二白色基準部材発光駆動設定処理モード」を実行することで、ＥＬ光源１７による第二白色基準部材２９の第二読み取り部１１２による読み取り結果は、ピーク値あるいは中央部分の値では、第一読み取り部１１１による第一白色基準部材２７の読み取り結果と等しくなる。そして、周辺部は光量低下などが生じているため、所定のシェーディング補正を実行すればよい。
【００７６】
そして、密着型の第二読み取り部２０Ｂ（１１２）では、第二白色基準部材２９（ＥＬ光源１７）が読み取り位置から離れた位置に存在するため、ゴミ付着や傷が発生しない状態になる。
【００７７】
さらに、密着型の第二読み取り部２０Ｂ（１１２）では、第二白色基準部材２９（ＥＬ光源１７）が、開口部がコンタクトガラス２１２で密閉された第二読み取り部２０Ｂの内部に位置に存在するため、ゴミ付着や傷が発生しない状態になる。
【００７８】
また、第二白色基準部材２９としてのＥＬ光源１７の駆動電圧を調整することにより、ピーク値あるいは中央部分の値で、第一白色基準部材２７の読み取り結果と一致させることが可能になり、異なるタイプの読み取り部を備えた両面画像読み取り装置において、両面で正確なシェーディング補正が可能になる。
【００７９】
この場合、両面の白色基準部材の読み取り結果でピーク値や中央部分の値が等しくなることで、シェーディング補正データの生成、シェーディング補正回路における補正の演算などを高い精度で実行することが可能になる。
【００８０】
なお、従来の白色基準部材の場合には、端部での光量低下を抑制するためには、イメージセンサの端部より２０mm程度大きく構成しておく必要があった。これに対し、ＥＬ光源１７では自発光するため、従来の反射型の白色基準部材ほど大きく構成する必要はなく、センサの端部より５mm程度大きく構成しておけばよくなる。このため、省スペースに貢献でき、結果として、センサを小さくすることに貢献できる。
【００８１】
なお、この際に、白色基準部材２９はコンタクトガラス２１２付近に位置しているため、通常の読み取り位置と近い位置であって、フォーカスの問題も生じない。
〈第二の実施形態の動作状態〉
以下、第二の実施形態の画像読み取り装置の動作について、図５のフローチャートを参照して、詳細な動作説明を行う。なお、図５は本実施形態の特徴部分の動作を示したフローチャートであり、画像読み取り装置として一般的で既知の動作については省略してある。
【００８２】
この第二の実施形態としては、図２および図３の画像読み取り装置において、第一読み取り部１１１を備えずに、第二読み取り部１１２を備えた片面の画像読み取り装置を想定する。
【００８３】
以下、この第二の実施形態では、図２および図３の第二読み取り部１１２を単に読み取り部１１２、第二白色基準部材２９を白色基準部材２９、第二画像処理部１３２を画像処理部１３２、第二データメモリ１４２をデータメモリ、第二シェーディング補正部１５２をシェーディング補正部１５２と呼ぶことにする。
【００８４】
まず、工場出荷時あるいはサービスマンによる調整時において、所定のキー入力が操作部１７０になされると、あるいは、外部のコンピュータ（図示せず）からの指示が与えられると、制御部１０１は、画像読み取り装置１００を「白色基準部材発光駆動設定処理モード」として動作させる（図５のスタート）。
【００８５】
ここで、制御部１０１は、基準原稿をセットするようにとのメッセージを表示部１８０に表示する（図５中のステップＳ５０１）。ここで、基準原稿とは、原稿の読み取り面が所定の濃度（白色度）等の特性を有する原稿である。
【００８６】
基準原稿がセットされ、読み取りの指示が操作部１７０あるいは外部コンピュータから与えられると、制御部１０１は読み取り部１１２に基準原稿の読み取りを実行させる（図５中のステップＳ５０１）。
【００８７】
この基準原稿の読み取りにより、読み取り部１１２、Ａ-Ｄ変換部１２２、画像処理部１３２から画像データが得られる。
この際、コンタクトガラス２１２はバネ２１３により付勢されて原稿搬送方向に移動しており、図１（ａ）のように、コンタクトガラス２１２の内面に取り付けられた光源２０１から照射された光が原稿で反射されて、コンタクトガラス２１２の内面に配置された光源２０１と第二白色基準部材２９との間を通過し、光学系２０３を経由してイメージセンサ２０２に結像する。
【００８８】
そして、この画像データの信号値のピーク部分、あるいは、中央付近の信号値が、予め定められた所定の値に等しくなるように、制御部１０１は読み取り部１１２の利得調整を実行する（図５中のステップＳ５０２）。この場合、読み取り部１１２内部のアンプの利得、あるいは、信号経路のいずれかに配置されたアンプ（図示せず）の利得を、上述した信号値に等しくなるように制御部１０１が調整する。
【００８９】
この後、制御部１０１は、移動部１９４としての搬送ローラ１６をコンタクトガラス２１２に接触させると共に、原稿搬送時とは逆方向に回転させる。これにより、コンタクトガラス２１２が図１（ｂ）のようになり、ＥＬ光源１７が、光学系２０３を経由してイメージセンサ２０２に結像する光路上に位置する。
【００９０】
そして、制御部１０１はＥＬ駆動部１９２を介してＥＬ光源１７を点灯させ（図５中のステップＳ５０３）、ＥＬ光源１７を白色基準部材２９として動作させる。
ここで、制御部１０１は、読み取り部１１２に白色基準部材２９（発光状態のＥＬ光源１７）の読み取りを実行させる（図５中のステップＳ５０４）。
【００９１】
この状態で、制御部１０１は、読み取り部１１２による白色基準部材２９の読み取り結果のピーク値あるいは中央部分の値が所定の値と等しいかを判断し（図５中のステップＳ５０５）、値が等しくなるまでＥＬ駆動部１９２からのＥＬ光源１７への駆動電圧を調整する（図５中のステップＳ５０６）。
【００９２】
読み取り部１１２による白色基準部材２９の読み取り結果のピーク値あるいは中央部分の値が所定値と等しくなれば（図５中のステップＳ５０５でＹＥＳ）、制御部１０１は、ＥＬ駆動部１９２からのＥＬ光源１７への駆動電圧を記憶し（図５中のステップＳ５０７）、「白色基準部材発光駆動設定処理モード」を終了させる。
【００９３】
そして、これ以後は、制御部１０１はこの記憶値によりＥＬ光源１７を発光駆動し、既知のシェーディング補正を実行する。
また、制御部１０１の指示によって搬送ローラ１６のコンタクトガラス２１２への接触を解除することで、コンタクトガラス２１２はバネ２１３によって付勢され、通常の読み取り位置に戻る。
【００９４】
以上のような「白色基準部材発光駆動設定処理モード」を実行することで、ＥＬ光源１７による白色基準部材２９の読み取り部１１２による読み取り結果は、ピーク値あるいは中央部分の値では、所定の値と等しくなる。すなわち、適切な白色基準部材を読み取った状態になる。ここで、周辺部は光量低下などが生じているため、所定のシェーディング補正を実行すればよい。
【００９５】
そして、密着型の読み取り部２０Ｂ（１１２）では、白色基準部材２９（ＥＬ光源１７）が読み取り位置から離れた位置に存在するため、ゴミ付着や傷が発生しない状態になる。
【００９６】
さらに、密着型の第二読み取り部２０Ｂ（１１２）では、白色基準部材２９（ＥＬ光源１７）が、開口部がコンタクトガラス２１２で密閉された第二読み取り部２０Ｂの内部に位置に存在するため、ゴミ付着や傷が発生しない状態になる。
【００９７】
この結果、原稿を搬送しつつ画像を読み取って画像データを生成する場合に、固定の読み取り部でのシェーディング補正に関して、密着型の読み取り部を用いた場合の白色基準部材の問題（ゴミ付着、傷発生）を解消しつつ、正確なシェーディング補正をすることが可能になる。
【００９８】
なお、従来の白色基準部材の場合には、端部での光量低下を抑制するためには、イメージセンサの端部より２０mm程度大きく構成しておく必要があった。これに対し、ＥＬ光源１７では自発光するため、従来の反射型の白色基準部材ほど大きく構成する必要はなく、センサの端部より５mm程度大きく構成しておけばよくなる。このため、省スペースに貢献でき、結果として、センサを小さくすることに貢献できる。
【００９９】
なお、この際に、白色基準部材２９はコンタクトガラス２１２付近に位置しているため、通常の読み取り位置と近い位置であって、フォーカスの問題も生じない。
〈その他の実施形態（１）〉
以上の具体例では、搬送ローラ１６によってコンタクトガラス２１２を移動させていたが、搬送ローラ１６を用いる代わりに専用にアクチュエータや専用のローラを用いる構成に変えてもよい。
【０１００】
また、コンタクトガラス２１２ごとＥＬ光源を移動させていたが、コンタクトガラス２１２内側のＥＬ光源のみをアクチュエータなどによって移動させる構成であってもよい。
〈その他の実施形態（２）〉
以上の第一の実施形態では、第一読み取り部１１１が縮小光学系を有する読み取り部であり、第二読み取り部１１２が固定状態の密着型の読み取り部であったが、両方が固定状態の密着型の読み取り部の場合にも、少なくとも一方の読み取り部で上述したＥＬ光源を白色基準部材として用いることで、ゴミや傷の問題を解消しつつ、両面の白色基準部材の読み取り信号値を一致させられるという、良好な効果を得ることが可能である。
【０１０１】
〈その他の実施形態（３）〉
以上の実施形態におけるＥＬ駆動部１９２からのＥＬ光源１７の駆動電圧については、ＥＬ光源１７の劣化などにより光量が低下することがあるため、定期的に本実施形態の白色基準部材発光駆動設定処理を実行することが望ましい。
【０１０２】
〈その他の実施形態（４）〉
以上の第一の実施形態では、ＥＬ光源１７を所定の光量で発光させることにより第二白色基準部材２９を構成していたが、これに限定されず、ＥＬ光源１７を異なる光量で発光させて、グレースケールのように用いることが可能である。これにより、白色によるシェーディング補正だけでなく、グレーによるシェーディング補正も可能になり、第二読み取り部１１２の階調特性とシェーディング特性との総合的な調整も可能になる。
【０１０３】
〈その他の実施形態（５）〉
以上の実施形態では、第二白色基準部材にのみＥＬ光源を採用した構成例で説明してきたが、第一白色基準部材にＥＬ光源を使用しても何ら問題はない。そして、第一白色基準部材にＥＬ光源を用いることでも、同様に優れた作用効果を奏することが可能になる。
【０１０４】
〈その他の実施形態（６）〉
なお、以上の実施形態では、画像読み取り装置を具体例にして説明してきたが、画像読み取り装置を備えた画像形成装置やファクシミリ装置や複合装置の場合にも上述した制御や処理を実行することで、同様の優れた効果を奏することが可能になる。
【図面の簡単な説明】
【０１０５】
【図１】本発明の実施形態の画像読み取り装置の主要部の構成を示す構成図である。
【図２】本発明の実施形態の画像読み取り装置の電気的な構成を示す機能ブロック図である。
【図３】本発明の実施形態の画像読み取り装置の機械的な構成を示す構成図である。
【図４】本発明の実施形態の画像読み取り時の処理動作を示すフローチャートである。
【図５】本発明の実施形態の画像読み取り時の処理動作を示すフローチャートである。
【符号の説明】
【０１０６】
１００  画像読み取り装置
１０１  制御部
１１１  第一読み取り部
１１２  第二読み取り部
１２１  Ａ−Ｄ変換部
１２２  Ａ−Ｄ変換部
１３１  第一画像処理部
１３２  第二画像処理部
１４１  第一データメモリ
１４２  第二データメモリ
１５１  第一シェーディング補正部
１５２  第二シェーディング補正部
１６０  画像メモリ
１７０  操作部
１８０  表示部
１９１  ＥＬ光源
１９２  ＥＬ駆動部
【図１】
2009171455.tif 000003
【図２】
2009171455.tif 000004
【図３】
2009171455.tif 000005
【図４】
2009171455.tif 000006
【図５】
2009171455.tif 000007